(57)【要約】【課題】シート部材間に吸水性樹脂を有しパルプ繊維を有しない吸収層を複数有し、高い吸収容量と拡散性に優れた吸収性積層体と、当該吸収性積層体を備えた吸収性物品を提供する。【解決手段】上側吸収層１１と下側吸収層２１とを有する吸収性積層体１０であって、上側吸収層１１と下側吸収層２１はそれぞれ、シート部材１２，２２の間に吸水性樹脂１３，２３を有しパルプ繊維を有しないように構成され、上側吸収層１１は幅方向ｘの中央領域に封止部１８と非封止部１９が形成されており、下側吸収層２１は幅方向ｘの中央領域に非封止部２９が形成され封止部は形成されておらず、上側吸収層１１の非封止部１９における吸水性樹脂の量をＡ（ｇ／ｍ2）、下側吸収層２１の非封止部２９における吸水性樹脂の量をＢ（ｇ／ｍ2）、上側吸収層１１の封止部１８における吸水性樹脂の量をＣ（ｇ／ｍ2）としたとき、Ａ＞Ｂ＞Ｃの関係を満たす。【選択図】図１
2019088465.tif 000002
【特許請求の範囲】
【請求項１】
体液を吸収するために用いられ、長手方向と幅方向とを有する吸収性積層体であって、
前記吸収性積層体は、肌面側に配された上側吸収層と、非肌面側に配された下側吸収層とを有し、
前記上側吸収層と前記下側吸収層はそれぞれ、シート部材間に吸水性樹脂を有しパルプ繊維を有しないように構成され、シート部材どうしが接合された封止部と、シート部材どうしが接合されない非封止部を有し、
前記上側吸収層と前記下側吸収層はそれぞれ、幅方向の両側に端部領域とこれらの間に位置する中央領域を有し、
前記上側吸収層は、端部領域に前記封止部が形成され、中央領域に前記封止部と前記非封止部が形成されており、
前記下側吸収層は、端部領域に前記封止部が形成され、中央領域に前記非封止部が形成され前記封止部は形成されておらず、
前記上側吸収層の中央領域の非封止部における吸水性樹脂の量をＡ（ｇ／ｍ2）、前記下側吸収層の中央領域の非封止部における吸水性樹脂の量をＢ（ｇ／ｍ2）、前記上側吸収層の中央領域の封止部における吸水性樹脂の量をＣ（ｇ／ｍ2）としたとき、Ａ＞Ｂ＞Ｃの関係を満たすことを特徴とする吸収性積層体。
【請求項２】
前記上側吸収層の中央領域の非封止部における吸水性樹脂の量Ａが２００ｇ／ｍ2以上であり、
前記下側吸収層の中央領域の非封止部における吸水性樹脂の量Ｂが７０ｇ／ｍ2以上であり、
前記上側吸収層の中央領域の封止部における吸水性樹脂の量Ｃが５０ｇ／ｍ2以下である請求項１に記載の吸収性積層体。
【請求項３】
前記上側吸収層の中央領域の封止部における吸水性樹脂の量Ｃが５ｇ／ｍ2以上５０ｇ／ｍ2以下である請求項１または２に記載の吸収性積層体。
【請求項４】
前記封止部では、前記シート部材どうしが溶着されている請求項１〜３のいずれか一項に記載の吸収性積層体。
【請求項５】
前記上側吸収層の前記シート部材は、ポリエチレン樹脂を含む繊維から構成されたエアスルー不織布からなる請求項１〜４のいずれか一項に記載の吸収性積層体。
【請求項６】
前記上側吸収層は、肌面側に配される前記シート部材の目付が、非肌面側に配される前記シート部材の目付よりも大きい請求項１〜５のいずれか一項に記載の吸収性積層体。
【請求項７】
前記上側吸収層の中央領域の非封止部に配された吸水性樹脂のボルテックス法による吸水速度が２０秒以下である請求項１〜６のいずれか一項に記載の吸収性積層体。
【請求項８】
請求項１〜７のいずれか一項に記載の吸収性積層体と、
前記吸収性積層体の肌面側に設けられた液透過性のトップシートと、
前記吸収性積層体の非肌面側に設けられた液不透過性のバックシートとを有することを特徴とする吸収性物品。
【発明の詳細な説明】
【技術分野】
【０００１】
本発明は、尿パッド（軽失禁パッドを含む）、生理用ナプキン、使い捨ておむつ等の吸収性物品に用いられる吸収性積層体と、これを備えた吸収性物品に関するものである。
【背景技術】
【０００２】
従来、シート部材間に吸水性樹脂を有しパルプ繊維を有しないように構成された吸収体を備えた吸収性物品が知られている。例えば、特許文献１〜３には、このような吸収体が複数積層された吸収性積層体を有する吸収性物品が開示されている。
【先行技術文献】
【特許文献】
【０００３】
【特許文献１】特開２００４−３１３５８０号公報
【特許文献２】特開２０１１−１３６０７８号公報
【特許文献３】特開２０１５−０００２３６号公報
【発明の概要】
【発明が解決しようとする課題】
【０００４】
シート部材間に吸水性樹脂を有しパルプ繊維を有しないように構成された吸収体は、パルプ繊維を有しないため、吸収容量を確保しつつ薄型に形成することができる。このような層構造を複数有する吸収性積層体では、当該層構造数に応じて吸収容量を高めることが可能となる。しかし、吸水性樹脂は尿等の体液を吸収するとゲル化したり膨潤したりするため、このように構成された吸収性積層体では、吸収性積層体に配された吸水性樹脂のできるだけ多くが尿等の吸収に寄与するように、吸収性積層体の平面方向や厚み方向への拡散性を確保することが重要となる。
【０００５】
本発明は前記事情に鑑みてなされたものであり、その目的は、シート部材間に吸水性樹脂を有しパルプ繊維を有しない吸収層を複数有する吸収性積層体であって、高い吸収容量を有し、拡散性に優れた吸収性積層体と、当該吸収性積層体を備えた吸収性物品を提供することにある。
【課題を解決するための手段】
【０００６】
前記課題を解決することができた本発明の吸収性積層体とは、体液を吸収するために用いられ、長手方向と幅方向とを有する吸収性積層体であって；吸収性積層体は、肌面側に配された上側吸収層と、非肌面側に配された下側吸収層とを有し；上側吸収層と下側吸収層はそれぞれ、シート部材間に吸水性樹脂を有しパルプ繊維を有しないように構成され、シート部材どうしが接合された封止部と、シート部材どうしが接合されない非封止部を有し；上側吸収層と下側吸収層はそれぞれ、幅方向の両側に端部領域とこれらの間に位置する中央領域を有し；上側吸収層は、端部領域に封止部が形成され、中央領域に封止部と非封止部が形成されており；下側吸収層は、端部領域に封止部が形成され、中央領域に非封止部が形成され封止部は形成されておらず；上側吸収層の中央領域の非封止部における吸水性樹脂の量をＡ（ｇ／ｍ2）、下側吸収層の中央領域の非封止部における吸水性樹脂の量をＢ（ｇ／ｍ2）、上側吸収層の中央領域の封止部における吸水性樹脂の量をＣ（ｇ／ｍ2）としたとき、Ａ＞Ｂ＞Ｃの関係を満たすところに特徴を有する。
【０００７】
本発明の吸収性積層体は上記のように構成されることにより、上側吸収層と下側吸収層の吸収容量を高く確保することができるとともに、吸収性積層体における尿等の拡散性も確保することができる。そのため、本発明の吸収性積層体は、優れた吸収性能を有するものとなる。
【０００８】
上側吸収層の中央領域の非封止部における吸水性樹脂の量Ａは２００ｇ／ｍ2以上であることが好ましく、下側吸収層の中央領域の非封止部における吸水性樹脂の量Ｂは７０ｇ／ｍ2以上であることが好ましく、上側吸収層の中央領域の封止部における吸水性樹脂の量Ｃは５０ｇ／ｍ2以下であることが好ましい。
【０００９】
上側吸収層の中央領域の封止部には吸水性樹脂が配されることが好ましく、当該封止部における吸水性樹脂の量Ｃは５ｇ／ｍ2以上５０ｇ／ｍ2以下であることが好ましい。これにより、上側吸収層の中央領域の封止部における尿等の透過性を確保しつつ、封止部において尿等の平面方向への拡散性を高めることができ、上側吸収層と下側吸収層に配された吸水性樹脂のより多くを吸収に寄与させることが可能となる。
【００１０】
封止部では、シート部材どうしが溶着されていることが好ましい。このように封止部を形成することにより、吸収層が吸水しても、シート部材どうしの接合が維持されやすくなり、封止部における尿等の拡散性を確保しやすくなる。
【００１１】
上側吸収層のシート部材は、ポリエチレン樹脂を含む繊維から構成されたエアスルー不織布からなることが好ましい。上側吸収層のシート部材がこのような不織布から構成されていれば、封止部をヒートシールや超音波溶着等で形成した場合に、シート部材どうしを強固に接合することができ、またシート部材の破断強度も高く確保しやすくなる。そのため、上側吸収層に配された吸水性樹脂が尿等を吸収して膨潤しても、中央領域の封止部が好適に維持されやすくなる。
【００１２】
上側吸収層は、肌面側に配されるシート部材の目付が、非肌面側に配されるシート部材の目付よりも大きいことが好ましい。このように上側吸収層を構成することにより、吸収性積層体の受けた尿等を、上側吸収層の肌面側のシート部材によって、上側吸収層の内部に速やかに引き込むことが可能となり、尿等の速やかな吸収を実現することができる。
【００１３】
上側吸収層の中央領域の非封止部に配された吸水性樹脂のボルテックス法による吸水速度は２０秒以下であることが好ましい。これにより、上側吸収層において尿等が速やかに吸収・固定され、吸収性積層体を備えた吸収性物品において、尿等のトップシート側への液戻りを抑えることができる。
【００１４】
本発明はまた、本発明の吸収性積層体と、吸収性積層体の肌面側に設けられた液透過性のトップシートと、吸収性積層体の非肌面側に設けられた液不透過性のバックシートとを有する吸収性物品も提供する。本発明の吸収性物品は、上記に説明した本発明の吸収性積層体が設けられているため、優れた吸収性能を有するものとなる。
【発明の効果】
【００１５】
本発明の吸収性積層体は、各吸収層の吸収容量を高く確保することができるとともに、吸収性積層体における尿等の拡散性も確保することができる。そのため、本発明の吸収性積層体は、優れた吸収性能を有するものとなる。
【図面の簡単な説明】
【００１６】
【図１】本発明の吸収性積層体の一例を表し、吸収性積層体の幅方向断面図を表す。
【図２】図１に示した吸収性積層体の上側吸収層の一部切欠き平面図を表す。
【図３】図１に示した吸収性積層体の下側吸収層の一部切欠き平面図を表す。
【図４】図１に示した吸収性積層体を備えた吸収性物品の一例を表し、吸収性物品を肌面側から見た平面図を表す。
【図５】図４に示した吸収性物品のＶ−Ｖ断面図を表す。
【発明を実施するための形態】
【００１７】
本発明の吸収性積層体は、尿等の体液を吸収するために用いられるものであり、尿パッド（失禁パッドを含む）、使い捨ておむつ、生理用ナプキン等の吸収性物品に設けられるものである。吸収性積層体は吸収性物品が受けた尿等の体液を吸収し固定し、例えば、吸収性物品のトップシートとバックシートの間に設けられる。
【００１８】
吸収性積層体は、肌面側と非肌面側を有する。肌面側とは、吸収性積層体を備えた吸収性物品を着用者が着用した際の着用者側を意味し、吸収性積層体を基準にとるとトップシート側に相当する。非肌面側とは、吸収性物品を着用した際の着用者とは反対側、すなわち外側を意味し、吸収性積層体を基準にとるとバックシート側に相当する。また、肌面側から非肌面側に延びる方向を、上下方向と規定する。
【００１９】
吸収性積層体は、長手方向と幅方向を有する。長手方向とは、吸収性積層体を備えた吸収性物品を着用者が着用した際、着用者の股間の前後方向に延びる方向を意味し、幅方向とは、吸収性積層体と同一面上にあり、長手方向と直交する方向を意味する。また、長手方向と幅方向から形成される面上の方向を、平面方向とする。
【００２０】
吸収性積層体の形状（平面形状）は特に限定されない。吸収性積層体の形状は、用途に応じて適宜決定すればよく、例えば、長方形、砂時計形、ひょうたん形、羽子板形等が挙げられる。
【００２１】
吸収性積層体は、肌面側に配された上側吸収層と、非肌面側に配された下側吸収層とを有する。上側吸収層は下側吸収層の肌面側に配され、吸収性物品ではトップシート側に配される。上側吸収層は、トップシートを通過し、吸収性積層体に移行した尿等を、下側吸収層よりも基本的に先に受ける。上側吸収層は、好ましくは吸収性積層体の最上側に配される。また上側吸収層は、下側吸収層と隣接して設けられることが好ましい。下側吸収層は上側吸収層の非肌面側に配され、吸収性物品ではバックシート側に配される。下側吸収層は、好ましくは吸収性積層体の最下側に配される。
【００２２】
上側吸収層と下側吸収層はそれぞれ、シート部材間に吸水性樹脂を有しパルプ繊維を有しないように構成される。すなわち上側吸収層と下側吸収層は、各吸収層の肌面側と非肌面側にそれぞれシート部材が配され、これらのシート部材の間に吸水性樹脂が配されるが、これらのシート部材の間にはパルプ繊維は配されない。なお、上側吸収層と下側吸収層において、製造上不可避的に混入するパルプ繊維の存在は許容される。上側吸収層と下側吸収層は、シート部材間に吸水性樹脂を有しパルプ繊維を有しないため、高い吸収容量を有しつつ薄型に形成することができる。
【００２３】
吸水性樹脂としては、ポリアクリル酸ナトリウム等のポリアクリル酸系の吸水性樹脂；デンプン−アクリロニトリルグラフト共重合体、デンプン−アクリル酸グラフト共重合体、デンプン−アクリルアミドグラフト共重合体等のデンプン系の吸水性樹脂；ポリビニルアルコール架橋体等のポリビニルアルコール系の吸水性樹脂等を用いることができる。吸水性樹脂としては、高い液吸収量を有する点で、ポリアクリル酸ナトリウム等のポリアクリル酸系の吸水性樹脂を用いることが好ましい。
【００２４】
シート部材は液透過性であり、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたものを用いることができる。また、シート部材として、織布、編布、有孔プラスチックフィルム等を用いてもよい。好ましくは、シート部材として、不織布製シート部材（不織布シート）を用いる。
【００２５】
シート部材の目付は特に限定されないが、例えば１０ｇ／ｍ2以上が好ましく、１４ｇ／ｍ2以上がより好ましく、１７ｇ／ｍ2以上がさらに好ましく、また５０ｇ／ｍ2以下が好ましく、４０ｇ／ｍ2以下がより好ましく、３０ｇ／ｍ2以下がさらに好ましい。
【００２６】
上側吸収層と下側吸収層は、肌面側のシート部材と非肌面側のシート部材が別々に設けられてもよく、１つのシート部材を折り返し、折り返された一方側を肌面側のシート部材とし、他方側を非肌面側のシート部材としてもよい。また、上側吸収層の非肌面側のシート部材が下側吸収層の肌面側のシート部材を兼ねてもよい。好ましくは、上側吸収層と下側吸収層はそれぞれ、各吸収層の肌面側に配される第１シート部材と非肌面側に配される第２シート部材を有し、第１シート部材と第２シート部材の間に吸水性樹脂が配される。この場合、各吸収層が独立して（分離可能に）形成されることとなる。
【００２７】
上側吸収層と下側吸収層はそれぞれ、幅方向に対して、端部領域と中央領域を有する。端部領域は、各吸収層の幅方向の両側に形成され、各吸収層の幅方向の端縁を含む領域として規定される。中央領域は、各吸収層の端部領域の間（すなわち幅方向の一方側の端部領域と他方側の端部領域の間）の領域として規定される。各吸収層において、中央領域の幅方向の長さは、吸収層の幅方向の長さの６０％以上であることが好ましく、７０％以上がより好ましく、また９５％以下が好ましく、９０％以下がより好ましい。
【００２８】
上側吸収層と下側吸収層はそれぞれ、シート部材どうしが接合された封止部と、シート部材どうしが接合されない非封止部とを有する。封止部は、シート部材どうしを接着剤で接合したり、溶着（ヒートシールや超音波溶着等）することにより形成される。非封止部は、各吸収層においてシート部材どうしが接合されない部分として規定され、封止部以外の部分が非封止部に相当する。非封止部の少なくとも一部には吸水性樹脂が配されており、封止部にも吸水性樹脂が配されていてもよい。
【００２９】
上側吸収層と下側吸収層はそれぞれ、幅方向の端部領域に封止部が形成されており、これにより各吸収層から吸水性樹脂が脱落しにくくなる。封止部は、上側吸収層と下側吸収層の端部領域において、長手方向の全体にわたって形成されることが好ましい。
【００３０】
上側吸収層は、幅方向の中央領域に、封止部と非封止部の両方が形成されている。上側吸収層の中央領域に封止部が形成されることにより、尿等が封止部において平面方向に拡散しやすくなるとともに、封止部を透過して尿等が下側吸収層に移行しやすくなる。その結果、吸収性積層体での尿等の拡散性が高められ、尿等が吸収性積層体によって速やかに吸収されるようになる。
【００３１】
上側吸収層の中央領域の非封止部の配置態様は特に限定されないが、非封止部はストライプ状または島状に配置されることが好ましい。これにより、上側吸収層の中央領域において、尿等が封止部を通って平面方向へ拡散しやすくなるとともに、当該封止部を尿等が透過して下側吸収層に移行しやすくなる。なお、上側吸収層の中央領域では、非封止部は２つ以上設けられることが好ましい。
【００３２】
非封止部がストライプ状に配置される場合は、非封止部が一方向に延びるように少なくとも２つ設けられることが好ましい。非封止部がストライプ状に配置される場合は、封止部もストライプ状に配されることが好ましい。好ましくは、非封止部は幅方向または長手方向に延びるストライプ状に配置され、より好ましくは長手方向に延びるストライプ状に配置される。非封止部が長手方向に延びるストライプ状に配置されれば、尿等が上側吸収層の長手方向に拡散しやすくなる。また、非封止部を比較的広い面積で設けることができ、上側吸収層の吸収容量を高めやすくなる。
【００３３】
非封止部が島状に配置される場合は、非封止部が少なくとも２つ設けられ、それぞれの非封止部を囲むように封止部が設けられることが好ましい。非封止部が島状に配置されれば、非封止部を取り囲む封止部において尿等が平面方向に拡散しやすくなる。
【００３４】
上側吸収層の中央領域では、非封止部が長手方向に延びるストライプ状に設けられることが好ましい。このように非封止部が設けられれば、上側吸収層において尿等の拡散性や透過性が高まるとともに、上側吸収層の吸収容量を確保することが容易になる。
【００３５】
上側吸収層の中央領域における封止部と非封止部の各面積は特に限定されないが、封止部と非封止部の面積比は、封止部の面積／非封止部の面積として、５／９５以上が好ましく、１０／９０以上がより好ましく、１５／８５以上がさらに好ましく、また７０／３０以下が好ましく、６０／４０以下がより好ましく、５０／５０以下がさらに好ましい。
【００３６】
一方、下側吸収層は、幅方向の中央領域において、非封止部が形成され、封止部は形成されない。これにより、下側吸収層の吸収容量を高めることができる。また、尿等が吸収性積層体の非肌面側へ移行しにくくなり、吸収性積層体を備えた吸収性物品において、尿等のバックシート側からの漏れが起こりにくくなる。なお下側吸収層の中央領域では、封止部が形成されないことにより、尿等の平面方向への拡散性が低下し、下側吸収層での尿等の吸収速度が低下するおそれがあるが、吸収性積層体は下側吸収層の肌面側に上側吸収層が存在するため、下側吸収層での吸収速度が低下した場合でも、尿等が吸収性積層体の肌面側に戻る心配が不要となる。
【００３７】
下側吸収層の中央領域は、上側吸収層の中央領域の封止部と重なるように設けられることが好ましく、より好ましくは、下側吸収層の中央領域は、上側吸収層の中央領域の封止部よりも幅方向の外方（幅方向に対して最も外方に位置する封止部よりも幅方向の外方）に延在するように設けられる。下側吸収層の中央領域の幅方向の長さは、上側吸収層の中央領域の幅方向の長さの０．７倍以上が好ましく、０．８倍以上がより好ましく、０．９倍以上がさらに好ましく、また１．５倍以下が好ましく、１．３倍以下がより好ましく、１．２倍以下がさらに好ましい。
【００３８】
封止部は、各吸収層が吸水しても、シート部材どうしの接合が維持されることが好ましい。吸収層が吸水すると、シート部材の間に配された吸水性樹脂が膨潤して、封止部においてシート部材どうしの接合が解けるおそれがある。この場合、吸水性樹脂が各吸収層から脱落したり、封止部における尿等の拡散性が低下することが想定される。従って、封止部は、吸収層が吸水しても、シート部材どうしの接合が維持されることが好ましい。なお、このように吸収層が構成されるために、各吸収層は、封止部においてシート部材どうしが溶着されていることが好ましい。
【００３９】
封止部でシート部材どうしが溶着される場合、シート部材は、封止部において部分的に溶着されることが好ましい。すなわち封止部には、シート部材どうしが溶着された溶着部と、シート部材どうしが溶着していない非溶着部が設けられることが好ましい。このように封止部に溶着部と非溶着部が設けられることにより、溶着部においてシート部材どうしが強固に接合されるとともに、非溶着部においては尿等の透過性が高められる。また、溶着部と非溶着部の代わりに、シート部材どうしが強固に溶着された強溶着部と、シート部材どうしが弱く溶着された弱溶着部を設けてもよい。溶着部と非溶着部、あるいは強溶着部と弱溶着部は、シート部材どうしを所定のパターンでヒートシールや超音波溶着することにより形成することができる。
【００４０】
上側吸収層と下側吸収層では、吸水性樹脂は接着剤によりシート部材に固定されていることが好ましい。すなわち、各吸収層のシート部材には接着剤が塗布されて接着剤層が設けられ、吸水性樹脂は当該接着剤層でシート部材に固定されていることが好ましい。接着剤層は、肌面側のシート部材と非肌面側のシート部材の少なくとも一方に設けられればよいが、好ましくは、接着剤層は両方のシート部材に設けられる。吸水性樹脂は、少なくとも一部が接着剤層に固定されていればよく、例えば、接着剤層に接する吸水性樹脂が接着剤層に固定されていればよい。吸水性樹脂が接着剤層によりシート部材に固定されていれば、吸水性樹脂の吸収前においては、吸水性樹脂がシート部材間で移動しにくくなり、吸収層における尿等の吸収能力が確保されやすくなる。吸水性樹脂の吸収後においても、ゲル化した吸水性樹脂がシート部材間で移動しにくくなる結果、吸水性樹脂が塊になって着用者に違和感を与えにくくなる。
【００４１】
接着剤層は、吸水性樹脂を固定しつつ、吸水性樹脂による吸水や膨潤を阻害しないことが好ましい。接着剤層を形成する方法としては、カーテンスプレー法、スパイラルコーティング法、オメガコーティング法、コーター法等を採用すればよい。
【００４２】
接着剤層に用いる接着剤としては、例えば、天然ゴム系、ブチルゴム系、ポリイソプレン等のゴム系接着剤；スチレン−イソプレン−スチレンブロック共重合体（ＳＩＳ）、スチレン−ブタジエン−スチレンブロック共重合体（ＳＢＳ）、スチレン−エチレン−ブタジエン−スチレンブロック共重合体（ＳＥＢＳ）、スチレン−エチレン−プロピレン−スチレンブロック共重合体（ＳＥＰＳ）等のスチレン系エラストマー；エチレン・酢酸ビニルコポリマー（ＥＶＡ）；ポリオレフィン系エラストマー、ポリオレフィン系ワックス等を用いることができる。これらの接着剤は、１種のみを用いてもよく、２種以上を併用してもよい。なかでも、ゴム系接着剤やスチレン系エラストマーを用いることが好ましい。
【００４３】
吸収性積層体の構成例について、図１〜図３を参照して説明する。図１は吸収性積層体の幅方向断面図を表し、図２は上側吸収層の一部切欠き平面図を表し、図３は下側吸収層の一部切欠き平面図を表す。矢印ｘ、ｙ、ｚはそれぞれ吸収性積層体の幅方向、長手方向、上下方向を表し、上下方向ｚにおいて、ｚ１は肌面側を表し、ｚ２は非肌面側を表す。図１〜図３には、上側吸収層の非封止部がストライプ状に配置された吸収性積層体の例を示したが、封止部や非封止部の配置や大きさは適宜調整可能であり、また上側吸収層と下側吸収層の大きさや配置も適宜調整可能である。
【００４４】
吸収性積層体１０は、肌面側ｚ１に配された上側吸収層１１と、非肌面側ｚ２に配された下側吸収層２１とを有する。上側吸収層１１は、シート部材１２の間に吸水性樹脂１３を有しパルプ繊維を有しないように構成され、下側吸収層２１は、シート部材２２の間に吸水性樹脂２３を有しパルプ繊維を有しないように構成されている。吸収性積層体１０では、シート部材１２，２２に接着剤が塗布されて接着剤層１４，２４が形成され、吸水性樹脂１３，２３が接着剤層１４，２４によりシート部材１２，２２に固定されている。
【００４５】
上側吸収層１１は、シート部材１２どうしが接合された封止部１７，１８と、シート部材１２どうしが接合されない非封止部１９とを有する。図２に示すように、上側吸収層１１は、幅方向ｘの両側に端部領域１５とこれらの間に位置する中央領域１６を有し、端部領域１５に封止部１７が形成され、中央領域１６に封止部１８と非封止部１９が形成されている。
【００４６】
下側吸収層２１は、シート部材２２どうしが接合された封止部２７と、シート部材２２どうしが接合されない非封止部２９とを有する。図３に示すように、下側吸収層２１は、幅方向ｘの両側に端部領域２５とこれらの間に位置する中央領域２６を有し、端部領域２５に封止部２７が形成され、中央領域２６に非封止部２９が形成され、封止部は形成されていない。
【００４７】
本発明の吸収性積層体は、上記のように構成された上で、上側吸収層の中央領域の非封止部における吸水性樹脂の量をＡ（ｇ／ｍ2）、下側吸収層の中央領域の非封止部における吸水性樹脂の量をＢ（ｇ／ｍ2）、上側吸収層の中央領域の封止部における吸水性樹脂の量をＣ（ｇ／ｍ2）としたときに、Ａ＞Ｂ＞Ｃの関係を満たすように構成されている。このように吸収性樹脂が配されることにより、上側吸収層と下側吸収層で好適に尿等が吸収されるようになる。これについて下記に詳しく説明する。
【００４８】
上側吸収層の中央領域の封止部における吸水性樹脂の量Ｃが、上側吸収層の中央領域の非封止部における吸水性樹脂の量Ａよりも少ないことにより、上側吸収層で受けた尿等が封止部において平面方向に拡散しやすくなるとともに、封止部を通って下側吸収層に移行しやすくなる。上側吸収層の封止部で平面方向に拡散した尿等は、より多くの吸水性樹脂が配された上側吸収層の非封止部において好適に吸収・固定されることとなる。
【００４９】
一方、下側吸収層の中央領域の非封止部における吸水性樹脂の量Ｂは、上側吸収層の中央領域の非封止部における吸水性樹脂の量Ａよりも少なく、かつ上側吸収層の中央領域の封止部における吸水性樹脂の量Ｃよりも多くなっている。このように下側吸収層に吸水性樹脂が配されることにより、下側吸収層の吸収容量を高めることができるとともに、下側吸収層の中央領域に封止部が形成されなくても、尿等の下側吸収層の平面方向への拡散性を確保しやすくなる。また、下側吸収層の非封止部に配される吸水性樹脂の量が過剰とならない（すなわちＢ＜Ａとの関係を満たす）ことにより、吸水性樹脂の吸水によってゲル形成し、尿等の拡散や吸水性樹脂への浸透を阻害しても、尿等の吸収に寄与しない吸水性樹脂の量を極力減らすことができる。
【００５０】
上側吸収層の中央領域の非封止部に配される吸水性樹脂の量Ａは、上側吸収層の吸収容量を高める観点から、２００ｇ／ｍ2以上が好ましく、２５０ｇ／ｍ2以上がより好ましく、３００ｇ／ｍ2以上がさらに好ましい。上側吸収層の中央領域の非封止部に配される吸水性樹脂の量Ａの上限は特に限定されないが、例えば１０００ｇ／ｍ2以下が好ましく、８００ｇ／ｍ2以下がより好ましく、６００ｇ／ｍ2以下がさらに好ましく、これにより、上側吸収層の非封止部の吸水性樹脂が吸水しても封止部が好適に維持されやすくなる。
【００５１】
下側吸収層の中央領域の非封止部に配される吸水性樹脂の量Ｂは、下側吸収層の吸収容量を高める観点から、７０ｇ／ｍ2以上が好ましく、１００ｇ／ｍ2以上がより好ましく、１５０ｇ／ｍ2以上がさらに好ましい。一方、下側吸収層の中央領域の非封止部に配される吸水性樹脂の量Ｂの上限としては、下側吸収層における尿等の拡散性を確保し、また尿等の吸収に有効に寄与する吸水性樹脂の割合を増やす観点から、４００ｇ／ｍ2以下が好ましく、３５０ｇ／ｍ2以下がより好ましく、３００ｇ／ｍ2以下がさらに好ましい。
【００５２】
上側吸収層の中央領域の非封止部に配される吸水性樹脂の量Ａ（ｇ／ｍ2）と下側吸収層の中央領域の非封止部に配される吸水性樹脂の量Ｂ（ｇ／ｍ2）の比Ａ／Ｂは、例えば１．２以上が好ましく、１．３以上がより好ましく、１．４以上がさらに好ましく、また４．０以下が好ましく、３．０以下がより好ましく、２．５以下がさらに好ましい。
【００５３】
上側吸収層の中央領域の封止部に配される吸水性樹脂の量Ｃは、上側吸収層の封止部における尿等の拡散性と透過性を確保する観点から、５０ｇ／ｍ2以下が好ましく、４０ｇ／ｍ2以下がより好ましく、３５ｇ／ｍ2以下がさらに好ましい。一方、上側吸収層の中央領域の封止部に配される吸水性樹脂の量Ｃの下限は特に限定されないが、少量の吸水性樹脂が配されていることが好ましく、これにより上側吸収層の吸収容量を高めることができるとともに、上側吸収層の平面方向への拡散性を高めることができる。すなわち、上側吸収層の中央領域の封止部に吸水性樹脂が配されていれば、吸水性樹脂が吸水してゲル化することによって封止部における尿等の透過性が抑えられ、封止部において上側吸収層の平面方向への拡散性を高めることができる。特に本発明の吸収性積層体は、下側吸収層の中央領域に封止部が形成されないことによって、下側吸収層の平面方向への拡散性が若干低下する傾向となるため、吸収性積層体の平面方向への拡散性は上側吸収層によってできるだけ確保されるように形成されることが好ましい。その結果、上側吸収層と下側吸収層に配された吸水性樹脂のより多くを吸収に寄与させることが可能となる。上側吸収層の中央領域の封止部に配される吸水性樹脂の量Ｃの下限は、例えば５ｇ／ｍ2以上が好ましく、１０ｇ／ｍ2以上がより好ましく、１５ｇ／ｍ2以上がさらに好ましい。
【００５４】
上記に説明した吸水性樹脂の量Ａ、Ｂ、Ｃは、上側吸収層または下側吸収層の封止部または非封止部における単位面積当たりの吸水性樹脂の量を表す。上側吸収層の中央領域の非封止部における吸水性樹脂の量Ａ（ｇ／ｍ2）は、上側吸収層の中央領域の全ての非封止部に配された吸水性樹脂の量を、上側吸収層の中央領域の非封止部の面積で除することにより求める。下側吸収層の中央領域の非封止部における吸水性樹脂の量Ｂ（ｇ／ｍ2）は、下側吸収層の中央領域の非封止部に配された吸水性樹脂の量を、下側吸収層の中央領域の非封止部の面積で除することにより求める。上側吸収層の中央領域の封止部における吸水性樹脂の量Ｃ（ｇ／ｍ2）は、上側吸収層の中央領域の全ての封止部に配された吸水性樹脂の量を、上側吸収層の中央領域の封止部の面積で除することにより求める。
【００５５】
上側吸収層では尿等ができるだけ速やかに吸収・固定されることが好ましい。これにより、吸収性積層体を備えた吸収性物品において、尿等のトップシート側への液戻りを抑えることができる。このような観点から、上側吸収層の中央領域の非封止部に配される吸水性樹脂は吸水速度が速いものを用いることが好ましく、具体的には、上側吸収層の中央領域の非封止部に配される吸水性樹脂は、ボルテックス法による吸水速度が２０秒以下であることが好ましく、１８秒以下がより好ましく、１６秒以下がさらに好ましい。当該吸水速度の下限は特に限定されないが、５秒以上が好ましく、８秒以上がより好ましい。
【００５６】
一方、下側吸収層では上側吸収層よりも吸収速度の遅い吸水性樹脂を用いることが好ましく、これにより下側吸収層での拡散性を高めることができる。このような観点から、下側吸収層の中央領域の非封止部に配される吸水性樹脂は、上側吸収層の中央領域の非封止部に配される吸水性樹脂よりも、ボルテックス法による吸水速度が遅いことが好ましい。例えば、下側吸収層の中央領域の非封止部に配される吸水性樹脂は、上側吸収層の中央領域の非封止部に配される吸水性樹脂よりも、ボルテックス法による吸水速度が５秒以上遅いことが好ましく、１０秒以上遅いことがより好ましく、２０秒以上遅いことがさらに好ましい。
【００５７】
吸水性樹脂のボルテックス法による吸水速度は、ＪＩＳ  Ｋ  ７２２４（１９９６）に従って測定する。具体的には次のようにして吸水速度を求める。容量１００ｍＬのガラスビーカーに、生理食塩水（０．９質量％塩化ナトリウム水）５０ｍＬとマグネチックスターラーチップ（中央部直径８ｍｍ、両端部直径７ｍｍ、長さ３０ｍｍで、表面がフッ素樹脂コーティングされているもの）を入れ、ビーカーをマグネチックスターラー（アズワン株式会社製ＨＰＳ−１００）に載せる。マグネチックスターラーの回転数を６００±６０ｒｐｍに調整し、生理食塩水を撹拌する。吸水性樹脂２．０ｇを、撹拌中の食塩水の渦の中心部で液中に投入し、吸水性樹脂のビーカーへの投入が完了した時点で計時を開始し、スターラーチップが試験液に覆われた時点（渦が消え、液表面が平らになった時点）で計時を止め、その時間（秒）を吸水速度として記録する。測定は５回行い（ｎ＝５）、上下各１点の値を削除し、残る３点の平均値を測定値とする。測定は、温度２３±２℃、相対湿度５０±５％で行い、測定の前に吸水性樹脂を同環境で２４時間以上保持した後に測定する。
【００５８】
吸収性積層体において尿等が速やかに吸収されるようにする点からは、上側吸収層は次のように構成されることも好ましい。すなわち、上側吸収層は、肌面側に配されるシート部材の目付が、非肌面側に配されるシート部材の目付よりも大きいことが好ましい。上側吸収層の肌面側に配されるシート部材の目付をより大きく形成することにより、当該シート部材による毛細管効果をより奏効させることが可能となる。そのため、吸収性積層体が受けた尿等を、上側吸収層の肌面側のシート部材によって、上側吸収層の内部に速やかに引き込むことが可能となり、その結果、尿等の速やかな吸収を実現することができる。また、このように上側吸収層を構成することによって、吸収性積層体を肌面側から触れた際に、あるいは吸収性積層体を備えた吸収性物品をトップシート側から触れた際に、上側吸収層の吸水性樹脂によるざらつき感を低減することができる。
【００５９】
下側吸収層も、肌面側に配されるシート部材の目付が、非肌面側に配されるシート部材の目付よりも大きく形成されていてもよい。これにより、上側吸収層を透過した尿等が速やかに下側吸収層に移行しやすくなる。
【００６０】
上側吸収層や下側吸収層において、尿等がシート部材に速やかに引き込まれるようにする観点から、シート部材は不織布から構成されていることが好ましい。特に、比較的嵩高に形成され、尿等の引き込み力に優れた不織布として、エアスルー不織布またはスパンレース不織布をシート部材として用いることが好ましい。
【００６１】
不織布から構成されたシート部材は、熱融着性繊維を含有していることも好ましい。熱融着性繊維としては、ポリエチレン、ポリプロピレン等のポリオレフィン繊維や、ＰＥＴ等のポリエステル繊維、ナイロン等のポリアミド繊維等が挙げられる。シート部材がこのように構成されていれば、封止部においてシート部材どうしを溶着することが容易になり、また、上側吸収層や下側吸収層が吸水しても、シート部材どうしの接合が維持されやすくなる。特に上側吸収層は、中央領域の封止部における尿等の拡散性を確保する点から、肌面側と非肌面側のシート部材が熱融着性繊維を含有する不織布から構成されていることが好ましい。
【００６２】
熱融着性繊維を含有する不織布は、少なくともポリエチレン樹脂を含む繊維から構成されていることが好ましい。このように構成された不織布は、封止部をヒートシールや超音波溶着で形成することにより、シート部材どうしを強固に接合することができる。また、ポリエチレン樹脂を含む繊維から構成された不織布がエアスルー不織布であれば、繊維どうしの接着も強固に形成することができ、例えば上側吸収層や下側吸収層が吸水して膨潤しても、シート部材が破断しにくくなる。
【００６３】
ポリエチレン樹脂を含む繊維は、樹脂としてポリエチレンのみを有していてもよく、さらに他の樹脂を有していてもよいが、ポリエチレン樹脂と当該ポリエチレン樹脂よりも高融点の樹脂とを有することが好ましい。このような複数の樹脂から構成された繊維としては、芯鞘構造やサイドバイサイド構造等の複合繊維を用いることが好ましく、ポリエチレン樹脂は複合繊維の一成分（例えば、芯鞘構造の鞘成分や、サイドバイサイド構造の一成分）を構成することが好ましい。
【００６４】
従って、上側吸収層および／または下側吸収層のシート部材は、ポリエチレン樹脂を含む繊維から構成されたエアスルー不織布からなることが好ましく、特に上側吸収層は、吸水して膨潤しても中央領域の封止部が維持されるようにする点から、ポリエチレン樹脂を含む繊維から構成されたエアスルー不織布からなることが好ましい。
【００６５】
上側吸収層は、シート部材の間に吸水性樹脂を有しパルプ繊維を有しないように構成された層構造を１つのみ有していてもよく、複数有していてもよい。後者の場合は、上側吸収層の中央領域の封止部が互いに重なるように複数積層されることが好ましい。
【００６６】
下側吸収層も、シート部材の間に吸水性樹脂を有しパルプ繊維を有しないように構成された層構造を１つのみ有していてもよく、複数有していてもよい。なお、下側吸収層は中央領域に封止部を有しておらず、尿等の上下方向への透過性に劣るため、下側吸収層は、シート部材の間に吸水性樹脂を有しパルプ繊維を有しないように構成された層構造を１つのみ有することが好ましい。
【００６７】
次に本発明の吸収性物品について説明する。本発明の吸収性物品は、本発明の吸収性積層体が設けられている点に特徴を有し、本発明の吸収性積層体がトップシートとバックシートの間に配されている。吸収性物品の態様としては、尿パッド（失禁パッドを含む）、使い捨ておむつ、生理用ナプキン等が示される。本発明の吸収性物品は、上記に説明した吸収性積層体が設けられることにより、優れた吸収性能を有するものとなる。
【００６８】
吸収性物品の形状は特に限定されない。吸収性物品が例えば、尿パッド、生理用ナプキンである場合、吸収性物品の形状としては、長方形、砂時計形、ひょうたん形、羽子板形等が示される。
【００６９】
吸収性物品が使い捨ておむつである場合、使い捨ておむつは、左右両側に止着部材が備えられ、当該止着部材により着用時にパンツ型に形成するテープタイプの使い捨ておむつであってもよく、ウェスト開口部と一対の脚開口部とが形成されたパンツタイプの使い捨ておむつであってもよい。パンツタイプの使い捨ておむつは、本発明の吸収性積層体がトップシートとバックシートの間に配された吸収性本体が、パンツ形状に形成された外装部材の肌面側に取り付けられたものであってもよい。
【００７０】
トップシートは、吸収性積層体の肌面側に設けられ、液透過性である。トップシートは、吸収性物品の着用の際、着用者の肌に面するように設けられる。トップシートとしては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルムを用いてもよい。
【００７１】
バックシートは、吸収性積層体の非肌面側に設けられ、液不透過性である。バックシートは、吸収性物品の着用の際、着用者とは反対側、すなわち外側に面するように設けられる。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。
【００７２】
トップシートやバックシートが不織布から構成される場合、不織布としては、スパンボンド不織布、エアスルー不織布、ポイントボンド不織布、メルトブロー不織布、エアレイド不織布、ＳＭＳ不織布等を用いることが好ましい。
【００７３】
吸収性物品は、肌面側の幅方向の両側に立ち上がりフラップが設けられることが好ましい。立ち上がりフラップを設けることにより、尿等の体液の横漏れが防止される。立ち上がりフラップは、例えば、トップシートの幅方向の両側に、長手方向に延在するサイドシートを接合し、サイドシートの幅方向内方（立ち上がりフラップが立ち上がったときの上端近傍）に弾性部材を設けることにより形成される。このようにサイドシートと弾性部材とを設けることにより、弾性部材の収縮力によりサイドシートの幅方向内方が着用者の肌に向かって立ち上がり、立ち上がりフラップが形成される。立ち上がりフラップまたはサイドシートは、液不透過性のプラスチックフィルムや液不透過性の不織布等により構成されることが好ましい。
【００７４】
本発明の吸収性物品について、尿パッドを例に挙げ、図４および図５を参照して説明する。なお、本発明の吸収性物品は、図面に示された実施態様に限定されるものではない。図４および図５には、図１〜図３に示した吸収性積層体を備えた吸収性物品を示した。図４は、吸収性物品として尿パッドをトップシート側から見た平面図を表し、図５は、図４に示した吸収性物品のＶ−Ｖ断面図を表す。
【００７５】
吸収性物品１は、液透過性のトップシート２と液不透過性のバックシート３とこれらの間に設けられた吸収性積層体１０とを有する。トップシート２は、吸収性積層体１０の肌面側に配され、尿等の体液を透過する。トップシート２を透過した体液は、吸収性積層体１０に収容される。バックシート３は吸収性積層体１０の非肌面側に配され、体液が外部へ漏れるのを防ぐ。
【００７６】
吸収性積層体１０は、トップシート２側から上側吸収層１１と下側吸収層２１を有する。吸収性積層体１０の詳細な構成は上記に説明した通りである。例えば図１を参照すると、上側吸収層１１は、シート部材１２どうしが接合された封止部１７，１８と、シート部材１２どうしが接合されない非封止部１９とを有し、幅方向ｘの両側の端部領域に封止部１７が形成され、それらの間の中央領域に封止部１８と非封止部１９が形成されている。下側吸収層２１は、シート部材２２どうしが接合された封止部２７と、シート部材２２どうしが接合されない非封止部２９とを有し、幅方向ｘの両側の端部領域に封止部２７が形成され、それらの間の中央領域に非封止部２９が形成され、封止部は形成されていない。そして、上側吸収層１１の中央領域の非封止部１９における吸水性樹脂の量をＡ（ｇ／ｍ2）、下側吸収層２１の中央領域の非封止部２９における吸水性樹脂の量をＢ（ｇ／ｍ2）、上側吸収層１１の中央領域の封止部１８における吸水性樹脂の量をＣ（ｇ／ｍ2）としたときに、Ａ＞Ｂ＞Ｃの関係を満たすように構成されている。吸収性物品１は、このように構成された吸収性積層体１０を備えることにより、優れた尿等の吸収性能を示すものとなる。
【００７７】
トップシート２と吸収性積層体１０との間には上側台紙４が設けられることが好ましい。また、バックシート３と吸収性積層体１０との間には下側台紙５が設けられることが好ましい。上側台紙４と下側台紙５は、尿等の体液の拡散性を向上させたり、吸収性物品１が形崩れしにくくするために設けられる。上側台紙４は液透過性であることが好ましく、下側台紙５は、液透過性であっても液不透過性であってもよい。上側台紙４と下側台紙５としては、ティッシュペーパーやクレープ紙等を用いることもできる。
【００７８】
吸収性物品１には、トップシート２の幅方向ｘの両側に、長手方向ｙに延在するサイドシート６が設けられることが好ましい。サイドシート６は、トップシート２の幅方向ｘの両側に接合される。図４および図５では、サイドシート６に、各々、幅方向ｘの内方に起立用弾性部材７が３本設けられている。吸収性物品１の使用時には、起立用弾性部材７の収縮力によりサイドシート６の内方が着用者の肌に向かって立ち上がり、これにより立ち上がりフラップ形成され、尿等の排泄物の横漏れが防止される。
【符号の説明】
【００７９】
１：  吸収性物品
２：  トップシート
３：  バックシート
１０：  吸収性積層体
１１：  上側吸収層
２１：  下側吸収層
１２，２２：  シート部材
１３，２３：  吸水性樹脂
１４，２４：  接着剤層
１５，２５：  端部領域
１６，２６：  中央領域
１７，１８，２７：  封止部
１９，２９：  非封止部
【図１】
2019088465.tif 000003
【図２】
2019088465.tif 000004
【図３】
2019088465.tif 000005
【図４】
2019088465.tif 000006
【図５】
2019088465.tif 000007